(57)【要約】【課題】容器本体と内部容器との間に形成された空間内に漏れた内容物の容器本体外部への漏れを有効に防止することができる流動体貯留容器を提供することを目的とする。【解決手段】流動体貯留部４は、外部容器１１０と、内部容器１２０と、内部容器１２０と外部容器１１０との間に外部から遮断された内部空間１３０を形成する連結部材１４０とを備える。内部容器１２０内に貯留された流動体が吐出されることにより内部容器１２０の体積が減少したとき、内部空間１３０が減圧され、外部から内部空間１３０方向へ力を受ける。このため、連結部材１４０における流出防止機構の作用により外部から内部空間１３０へ空気が流入し、内部空間１３０内の圧力と、外部および内部容器１２０内の圧力とが一定に保たれる。【選択図】        図６
2004203443.tif 000002
【特許請求の範囲】
【請求項１】
その上部に開口部が形成された外部容器と、
開口部を有する柔軟性の袋体より構成され、前記外部容器内に収納可能な内部容器と、
前記内部容器の開口部に配設され、前記内部容器の開口部を前記外部容器の開口部付近に固定することにより、前記内部容器内の流動体を前記外部容器の開口部を介して外部に吐出可能とするとともに、前記内部容器と前記外部容器との間に外部から遮断された内部空間を形成する略筒状の連結部材と、
前記外部容器の上方に配設されたノズルヘッドを押圧することにより、前記内部容器内に貯留された流動体を前記ノズルヘッドから吐出させるための流動体吐出ポンプとを備え、
前記連結部材は、
前記内部空間から外部への流動体の流出を防止するとともに、外部から前記内部空間への空気流入を可能とする流出防止機構を備えることを特徴とする流動体貯留容器。
【請求項２】
請求項１に記載の流動体貯留容器において、
前記流動体吐出ポンプは、前記略筒状の連結部材の内部に配設される流動体貯留容器。
【請求項３】
その上部に開口部が形成された外部容器と、
開口部を有する柔軟性の袋体より構成され、前記外部容器内に収納可能な内部容器と、
前記内部容器の開口部に配設され、前記内部容器の開口部を前記外部容器の開口部付近に固定することにより、前記内部容器内の流動体を前記外部容器の開口部を介して外部に吐出可能とするとともに、前記内部容器と前記外部容器との間に外部から遮断された内部空間を形成する略筒状の連結部材と、
前記内部容器内に貯留された流動体に圧力を加えることにより、前記内部容器内に貯留された流動体を前記外部容器の上方から吐出させるための弁機構とを備え、
前記連結部材は、
前記内部空間から外部への流動体の流出を防止するとともに、外部から前記内部空間への空気流入を可能とする流出防止機構を備えることを特徴とする流動体貯留容器。
【請求項４】
請求項３に記載の流動体貯留容器において、
前記弁機構は、前記略筒状の連結部材の内部に配設される流動体貯留容器。
【請求項５】
請求項１乃至請求項４のいずれかに記載の流動体貯留容器において、
外部容器の内部方向に向けて開口する傘状の形状を有し、その最大外径部が外側容器における開口部と当接する可撓性の漏れ防止部を備える流動体貯留容器。
【請求項６】
請求項５に記載の流動体貯留容器において、
前記流出防止機構は、
前記連結部材には、外部と前記内部空間との間を通じる貫通孔が形成されるとともに、
前記連結部材の外側に前記貫通孔を閉鎖する貫通孔閉鎖部材をさらに備えた流動体貯留容器。
【発明の詳細な説明】
【０００１】
【発明の属する技術分野】
この発明は、外部容器および内部容器を備える流動体を貯留するための流動体貯留容器に関する。
【０００２】
【従来の技術】
このような流動体貯留容器としては、特許文献１に記載されたように、外部容器に、その内部に内容物を充填可能であって、内圧の減少に伴い内側に変形する材質で形成される内部容器が組み込まれており、内部容器の開口部には流動体吐出ポンプが装着されているものが知られている。この流動体貯留容器における内部容器の開口部と流動体吐出ポンプは、内部容器内部に対して、その容器内部が気密になるように取り付けられている。また、外部容器と内部容器との間には蓋により外部から遮蔽された空間が形成されている。さらに、外部容器に通気口が設けられ、内部容器の体積減少によって前記空間内が減圧されることを防止している。これにより、容器本体の外形を保ちながら、内容物の残量に関係なく容易に内容物を吸引することが可能となる。
【０００３】
【特許文献１】特開２００１−３３５０８７
【０００４】
【発明が解決しようとする課題】
しかしながら、このような流動体貯留容器は、内部容器の破損等により外部容器と内部容器との間に形成された空間内に内容物が漏れた場合には、外部容器に通気口が設けられていることから、空間内に漏れた内容物が通気口を通して外部容器の外側へ漏れるという問題が発生する。また、外部容器に通気口を設けることが必要であるため、一般に流通する容器を外部容器としてそのまま利用することが困難であるという問題もある。
【０００５】
この発明は、上記課題を解決するためになされたものであり、容器本体と内部容器との間に形成された空間内に漏れた内容物の容器本体外部への漏れを有効に防止することができるとともに、一般に流通している容器を外部容器として使用し得る流動体貯留容器を提供することを目的とする。
【０００６】
【課題を解決するための手段】
請求項１に記載の発明は、その上部に開口部が形成された外部容器と、開口部を有する柔軟性の袋体より構成され、前記外部容器内に収納可能な内部容器と、前記内部容器の開口部に配設され、前記内部容器の開口部を前記外部容器の開口部付近に固定することにより、前記内部容器内の流動体を前記外部容器の開口部を介して外部に吐出可能とするとともに、前記内部容器と前記外部容器との間に外部から遮断された内部空間を形成する略筒状の連結部材と、前記外部容器の上方に配設されたノズルヘッドを押圧することにより、前記内部容器内に貯留された流動体を前記ノズルヘッドから吐出させるための流動体吐出ポンプとを備え、前記連結部材は、前記内部空間から外部への流動体の流出を防止するとともに、外部から前記内部空間への空気流入を可能とする流出防止機構を備えることを特徴とする。
【０００７】
請求項２に記載の発明は、請求項１に記載の流動体貯留容器において、前記流動体吐出ポンプは、前記略筒状の連結部材の内部に配設される。
【０００８】
請求項３に記載の発明は、その上部に開口部が形成された外部容器と、開口部を有する柔軟性の袋体より構成され、前記外部容器内に収納可能な内部容器と、前記内部容器の開口部に配設され、前記内部容器の開口部を前記外部容器の開口部付近に固定することにより、前記内部容器内の流動体を前記外部容器の開口部を介して外部に吐出可能とするとともに、前記内部容器と前記外部容器との間に外部から遮断された内部空間を形成する略筒状の連結部材と、前記外部容器を押圧することにより、前記内部容器内に貯留された流動体を前記外部容器の上方から吐出させるための弁機構とを備え、前記連結部材は、前記内部空間から外部への流動体の流出を防止するとともに、外部から前記内部空間への空気流入を可能とする流出防止機構を備えることを特徴とする。
【０００９】
請求項４に記載の発明は、請求項３に記載の流動体貯留容器において、前記弁機構は、前記略筒状の連結部材の内部に配設される。
【００１０】
請求項５に記載の発明は、請求項１乃至請求項４のいずれかに記載の流動体貯留容器において、前記連結部材には、外部と前記内部空間との間を通じる貫通孔が形成されるとともに、前記連結部材の外側に前記貫通孔を閉鎖する貫通孔閉鎖部材をさらに備える。
【００１１】
請求項６に記載の発明は、請求項５に記載の流動体貯留容器において、前記流出防止機構は、外部容器の内部方向に向けて開口する傘状の形状を有し、その最大外径部が外側容器における開口部と当接する可撓性の漏れ防止部を備える。
【００１２】
【発明の実施の形態】
以下、この発明の第１実施形態形態を図に基づいて説明する。図１は、この発明の第１実施形態に係る流動体貯留容器を示す要部断面図である。また、図２は、この発明の第１実施形態に係る流動体貯留容器の分解した状態を示す要部断面図である。なお、図１および図２においては、連結部材１４０、貫通孔閉鎖部材１４３および流動体以外の部材の断面については、ハッチングを省略している。また、図１および図２においては、ノズルヘッド２および外蓋３については、断面ではなく、正面を図示している。
【００１３】
この流動体貯留容器は、美容の分野で使用されるヘアージェルやクレンジングジェル等の一般にジェルと呼称されるゲル（ｇｅｌ）、または、栄養クリームやマッサージクリーム等のクリーム状物、あるいは、化粧水等の液体などを貯留するための化粧品用の容器として使用されるものである。また、この流動体貯留容器を、一般の薬品や溶剤あるいは食品等の容器として使用してもよい。なお、この明細書においては、高粘度の液体や半流動体あるいはゾルがジェリー状に固化したゲルやクリーム状物等と通常の液体とを含めて流動体と呼称する。
【００１４】
この流動体貯留容器は、流動体吐出ポンプ１と、ノズルヘッド２と、外蓋３と、その内部に流動体を貯留する流動体貯留部４とから構成される。
【００１５】
図１に示すように、流動体吐出ポンプ１における吸引管９０は、流動体貯留部４内に挿入される構造となっている。また、図２に示すように、流動体吐出ポンプ１、ノズルヘッド２および外蓋３と、流動体貯留部４とは互いに分離可能である。
【００１６】
また、図３乃至図６は、この発明の第１実施形態に係る流動体貯留容器を示す縦断面図である。但し、図３乃至図６における連結部材１４０、貫通孔閉鎖部材１４３、第１、第２連結筒８１、８２、シリンダ２３、および流動体以外の部材の断面については、ハッチングを省略している。なお、これらの図のうち、図３は流動体吐出ポンプ１に応力を付与することなく放置した状態を、また、図４はノズルヘッド２における押圧部１２が押圧されることにより第１、第２連結筒８１、８２がピストン８３とともに下降しつつある状態を、図５は第１、第２連結筒８１、８２がピストン８３とともに最下降した状態を、さらに、図６はノズルヘッド２が開放されることにより第１、第２連結筒８１、８２がピストン８３とともに上昇しつつある状態を示している。
【００１７】
図３に示すように、ノズルヘッド２は、流動体を吐出するための吐出部１１と、流動体の吐出時に押圧される押圧部１２とを有している。また、外蓋３は、ネジ部材を介して流動体貯留部４の上端に形成されたネジ部と係合されている。
【００１８】
この流動体貯留容器においては、ノズルヘッド２における押圧部１２を押圧して上下方向に往復移動させることにより、後程詳細に説明する流動体吐出ポンプ１の作用で、流動体貯留部４内に貯留された流動体がノズルヘッド２における吐出部１１から吐出される。なお、この明細書においては、図１および図２における上下方向を流動体貯留容器における上下方向と規定する。
【００１９】
次に、この発明に係る流動体貯留容器の流動体貯留部４について説明する。図７は、この発明に係る流動体貯留容器の流動体貯留部４の組立時の状態を示す縦断面図である。また、図８は、この発明に係る流動体貯留容器の流動体貯留部４の流動体充填時の状態を示す縦断面図である。但し、図７および図８における連結部材１４０、貫通孔閉鎖部材１４３、および流動体以外の部材の断面については、ハッチングを省略している。
【００２０】
流動体貯留部４は、その上部に開口部が形成された外部容器１１０と、外部容器１１０内に収納可能な内部容器１２０と、内部容器の開口部１２１に配設され、内部容器の開口部１２１を外部容器の開口部１１１付近に固定することにより、内部容器１２０と外部容器１１０との間に外部から遮断された内部空間１３０を形成する連結部材１４０とを備える。
【００２１】
図５および図６に示すように、内部容器１２０内に貯留された流動体が吐出されることにより内部容器１２０の体積が減少したとき、内部空間１３０が一時的に減圧される。このように、内部空間１３０が減圧されたときは、後程詳細に説明する流出防止機構の作用により外部から内部空間１３０へ空気が流入する。これにより、内部空間１３０内の圧力と、外部および内部容器１２０内の圧力とが一定に保たれ、内部容器１２０よりの流動体の吸引をスムースにすることが可能となる。
【００２２】
外部容器１１０は、例えば、合成樹脂やガラス等の硬質の材料により構成される。また、内部容器１２０は、開口部１２１を有する柔軟性の袋体より構成される。このような二重構造とすることにより、外部の形状を保ちながら、内部容器１２０が流動体の体積減少に伴って変形し、流動体の吸引を容易にすることが可能となる。
【００２３】
この流動体貯留部４を組み立てるときには、図７に示すように、内部容器の開口部１２１に連結部材１４０の第１係合部１４５が挿入される。この内部容器１２０は、外部容器の開口部１１１を通じて、外部容器１１０の内部に挿入され、内部容器１２０と係合した連結部材１４０の第２係合部１４６が外部容器の開口部１１１付近に係合されることにより、内部容器１２０と連結部材１４０とが液密な状態で固定される。この連結部材１４０により、外部容器１１０と内部容器１２０との間には、後述する貫通孔１４２によってのみ外部と連通される内部空間１３０が形成される。さらに、外部容器の開口部１１１に固定された連結部材１４０の上部に、貫通孔閉鎖部材１４３が載置された場合には、貫通孔１４２はこの貫通孔閉鎖部材１４３により閉鎖された状態となっている。
【００２４】
また、図８に示すように、流動体貯留部４内に流動体を充填するときには、流動体吐出ポンプ１、ノズルヘッド２および外蓋３と、流動体貯留部４とを分離し、連結部材１４３上に載置された貫通孔閉鎖部材１４３を取り外す。これにより、外部容器１１０と内部容器１２０との間に形成される内部空間１３０内の空気を、貫通孔１４２を通じて外部へ流通させることができる。従って、流動体充填時の内部容器１２０の体積増大に伴う内部空間１２０の体積減少による圧力上昇を防止することが可能となる。
【００２５】
また、図９はこの発明に係る流動体貯留容器の流動体貯留部４の連結部材１４０を示す平面図、図１０は図９のＡ−Ａ線断面図、図１１は図９のＢ−Ｂ線断面図、図１２はこの発明に係る流動体貯留容器の流動体貯留部４の連結部材１４０を示す裏面図である。また、図１３（ａ）はこの発明に係る流動体貯留容器の流動体貯留部４の貫通孔閉鎖部材１４３を示す平面図、図１３（ｂ）はこの発明に係る流動体貯留容器の流動体貯留部４の貫通孔閉鎖部材１４３を示す断面図である。
【００２６】
連結部材１４０は、図９乃至図１２に示すように、略筒状であって、内部容器の開口部１２１と係合する第１係合部１４５と、外部容器の開口部１１１と係合する第２係合部１４６と、内部容器１２０内の流動体を外部容器の開口部１１１を介して外部に吐出可能とする中空部１４１とを備える。
【００２７】
また、連結部材１４０には、外部と内部空間１２０との間を連通する貫通孔１４２が形成されている。この貫通孔１４２は、図１３に示す貫通孔閉鎖部材１４３を連結部材１４０の上部に載置することにより閉鎖される。このような貫通孔閉鎖部材１４３を有する構成のため、内部空間１２０から外部への流動体の流出を防止することが可能となる。そして、内部容器１２０へ新たに流動体を充填するときには、貫通孔閉鎖部材１４３を取り外す。これにより、内部容器１２０の体積増大に伴う内部空間１３０の増圧を防止することが可能となる。また、この貫通孔閉鎖部材１４３は、連結部材の中空部１４１と連通する中空部１４８を有するため、内部容器１２０よりの流動体を吐出可能となる。
【００２８】
連結部材１４０は、さらに、流出防止機構を備える。この流出防止機構は、図１０および図１１に示すように、上下に並列する２個の洩れ防止部１４４と、２個の洩れ防止部１４４の上部に形成される溝部１４７とにより構成される。
【００２９】
洩れ防止部１４４は、外部容器１１０の内部方向に向けて開口する傘状の形状を有し、その最大外径部が外側容器１１０における開口部１１１の内面と当接する。これにより、内部空間１３０内から流動体が流出しようとしても、洩れ防止部１４４の最大外形が外部容器の開口部１１１の内面と当接する方向に開くことから、内部空間１３０からの流動体の流出を防止することが可能となる。
【００３０】
また、洩れ防止部１４４は可撓性を有する。このため、内部空間１３０内の減圧により洩れ防止部１４４が外部から内部空間１３０方向へ圧力を受けた場合には、洩れ防止部１４４はその最大外形が小さくなる方向に閉じる。従って、洩れ防止部１４４は外部容器の開口部１１１の内面から離隔し、外部から内部空間１３０へ空気が通過可能となる。
【００３１】
以上のような構成により、内部容器１２０の破損等により流動体が内部空間１３０へ洩れた場合においても、この流動体が外部へ洩れることを防止することが可能となる。なお、以上に記載した洩れ防止部１４４は、２個に限定されるものではなく、単数あるいは２以上の複数個であってもよい。
【００３２】
以上のような連結部材の構成により、内部容器１２０の破損等により内部空間１３０内に内容物が流出した場合であっても、洩れ防止部１４４を備えることから、流出した内容物の容器外部への流出を防止することを可能となる。また、外部容器１１０の一部に通気口を設ける必要がないため、一般に流通されている容器、例えば、硝子瓶やアルミ缶等を外部容器１１０としてそのまま利用することをも可能となる。さらに、内部容器１２０を収納することができる容器であれば、その他のものを外部容器１１０として使用可能である。
【００３３】
次に、流動体吐出ポンプ１の構成について説明する。図１４乃至図１７は、この発明に係る流動体貯留容器に使用される流動体吐出ポンプ１の一実施形態をノズルヘッド２とともに示す縦断面図である。なお、これらの図のうち、図１４は流動体吐出ポンプ１を応力を付与することなく放置した状態を、また、図１５はノズルヘッド２における押圧部１２が押圧されることにより第１、第２連結筒８１、８２がピストン８３とともに下降しつつある状態を、図１６は第１、第２連結筒８１、８２がピストン８３とともに最下降した状態を、さらに、図１７はノズルヘッド２が開放されることにより第１、第２連結筒８１、８２がピストン８３とともに上昇しつつある状態を示している。但し、図１４乃至図１７における連結部材１４０、貫通孔閉鎖部材１４３、第１、第２連結筒８１、８２、シリンダ２３、および流動体以外の部材の断面については、ハッチングを省略している。
【００３４】
流動体吐出ポンプ１は、略筒状の連結部材１４０の内部に配設される。このため、流動体貯留容器全体を小型化しながら流動体吐出ポンプ１を安定した状態で支持することが可能となる。
【００３５】
この流動体吐出ポンプ１は、シリンダ２３と、このシリンダ２３内を往復移動可能なピストン８３と、ノズルヘッド２とピストン８３とを連結することにより、ノズルヘッド２に付与された押圧力をピストン８３に伝達してピストン８３を下降させるための連結筒を構成する互いに連結固定された中空状の第１、第２連結筒８１、８２と、ピストン８３を上昇させる方向に付勢するための第１、第２連結筒８１、８２の外周部に配設されたコイルバネ２４と、内部容器１２０内に貯留された流動体をピストン８３の上昇動作に伴ってシリンダ２３内に流入させるための第１の弁機構と、シリンダ２３内に流入した流動体をピストン８３の下降動作に伴って第１、第２連結筒８１、８２の内部を介してノズルヘッド２に流出させるための開口部９１を開閉する第２の弁機構と、内部容器内の流動体をシリンダ２３内へ導く吸引管９０とを備える。
【００３６】
上述したピストン８３は、例えばシリコーンゴム、ポリプロピレン、またはポリエチレン等の樹脂から構成される。また、上述したコイルバネ２４は、強力な付勢力を得るため、金属製のものが使用される。
【００３７】
また、吸引管９０の先端を外部容器１１０および内部容器１２０の底面付近に位置させることにより、内部容器１２０の破損等により内部空間１３０内に洩れた内容物を無駄なく吐出させることが可能となる。
【００３８】
上記第１の弁機構は、シリンダ２３の内部が加圧されたときには、シリンダ２３の下端部付近に係合された吸引管９０とシリンダ２３とを連通する開口部４１を閉止するとともに、シリンダ２３の内部が減圧されたときには、この開口部４１を開放するためのものである。
【００３９】
この第１の弁機構は、シリンダ２３の下端部のテーパ形状をなす内面と同一の角度だけ傾斜したテーパ部８６と、シリンダ２３と係合する支持部８７と、テーパ部８６と支持部８７とを連結する４個の連結部８８とを有する樹脂製の弁体８９を備える。この第１の弁機構においては、シリンダ２３の内部が加圧されたときには、図１５に示すように、弁体８９のテーパー部８６がシリンダ２３の下端部内面テーパー部と当接することにより開口部４１を閉止する。また、シリンダ２３の内部が減圧されたときには、図１７に示すように、弁体８６のテーパー部がシリンダ２３の下端部内面から離隔することにより開口部４１を開放する。
【００４０】
上記第２の弁機構は、ノズルヘッド２が押圧されたときには、第２連結筒８２の筒状部下方に穿設されている開口部９１を開口することにより第１、第２連結筒８１、８２の内部とシリンダ２３の内部とを連通する流路を開放するとともに、ノズルヘッド２に対する押圧力が解除されたときには開口部９１を閉鎖することにより第１、第２連結筒８１、８２の内部とシリンダ２３の内部とを連通する流路を閉止するためのものである。
【００４１】
シリンダ２３内のピストン８３は、第２連結筒８２上を、第２連結筒８２における第１連結筒８１との接合部と第２連結筒の下端部との間で摺動可能となるように配設されている。図４、図５、図１５および図１６に示すように、ピストン８３の上端部が第２連結筒８２における第１連結筒８１との接合部と接する状態では、開口部９１を介してシリンダ２３の内部から第１、第２連結筒８１、８２の内部に至る流路が形成される。一方、図３、図６、図１４および図１７に示すように、ピストン８３の下端部が第２連結筒の下端部と接する状態では、シリンダ２３の内部から第１、第２連結筒８１、８２の内部に至る流路が閉鎖される。
【００４２】
次に、上述した流動体吐出ポンプ１を備えた流動体吐出容器による流動体の吐出動作について説明する。
【００４３】
初期状態においては、図３および図１４に示すように、コイルバネ２４の作用により、互いに連結された第１、第２連結筒８１、８２は上方向に付勢されており、第２連結筒８２の下端部はピストン８３の下端部と当接している。このため、シリンダ２３の内部から第１、第２連結筒８１、８２の内部に至る流路は閉鎖されている。また、弁体８９における連結部８８の作用により、弁体８９のテーパー部８６がシリンダ２３の下端部内面テーパー部と当接し、開口部４１は閉止されている。
【００４４】
この状態においてノズルヘッド２における押圧部１２が押圧された場合には、図４および図１５に示すように、最初に第１、第２連結筒８１、８２がピストン８３に対して相対的に下降する。これにより、第２連結筒８２の下端部とピストン８３の下端部とは離隔する。このため、シリンダ２３の内部から開口部９１を介して第１、第２連結筒８１、８２の内部に至る流路が形成される。
【００４５】
ノズルヘッド２における押圧部１２がさらに押圧されれば、図５および図１６に示すように、シリンダ２３の内部は加圧される。このため、シリンダ２３内の加圧された流動体は、開口部９１および中空状の第１、第２連結筒８１、８２を介してノズルヘッド２における吐出部１１に流出し、この吐出部１１から吐出される。
【００４６】
ピストン８３がストローク下端部まで下降した後、ノズルヘッド２に付与された押圧力が解除されれば、コイルバネ２４の作用により、第１、第２連結筒８１、８２がピストン８３に対して相対的に上昇する。これにより、図６および図１７に示すように、第２連結筒８２の下端部がピストン８３の下端部と当接する。このため、シリンダ２３の内部から第１、第２連結筒８１、８２の内部に至る流路は再度閉鎖される。
【００４７】
しかる後、コイルバネ２４の作用により、ノズルヘッド２と第１、第２連結筒８１、８２とピストン８３とが一体となって上昇する。このときには、シリンダ２３の内部は減圧されることから、弁体８９のテーパー部８６がシリンダ２３の下端部内面テーパー部から離隔することにより開口部４１が開放され、吸引管９０を介して、シリンダ２３内に内部容器１２０から流動体が流入する。そして、ピストン８３がその昇降ストロークの上端まで移動すれば、その上昇動作を停止する。
【００４８】
以上の動作を繰り返すことにより、流動体貯留部４内に貯留された流動体をノズルヘッド２から吐出せしめることが可能となる。
【００４９】
このような流動体吐出ポンプ１の構成により、外部から内部容器１２０内への空気の逆流を防止することが可能となる。この結果、内容物が空気と接触することを防ぎ、内容物の腐食を防止することができる。
【００５０】
なお、流動体吐出ポンプ１の構成は、以上に記載のものに限定されるものではなく、容器内部の流動体を吐出することができる機能を有するものであればよい。
【００５１】
次に、この発明の第２実施形態形態について説明する。図１８乃至図２０は、この発明の第２実施形態に係る流動体貯留容器を示す縦断面図である。なお、これらの図のうち、図１８は流動体貯留容器に応力を付与することなく放置した状態を、また、図１９は流動体貯留部における胴体部が押圧されることにより流動体貯留部４内部の流動体が吐出しつつある状態を、図２０は流動体貯留部における胴体部への押圧を解除した状態を示している。但し、図１８乃至図２０における連結部材１４０、貫通孔閉鎖部材１４３、および流動体以外の部材の断面については、ハッチングを省略している。
【００５２】
この発明の第２実施形態に係る流動体貯留容器は、流動体貯留部の胴体部１１２を押圧することにより流動体を吐出させる点で、流動体吐出ポンプ１を押圧することにより流動体を吐出させる第１実施形態に係る流動体貯留容器とは異なる。なお、上述した第１実施形態と同様の部材については、同一の符号を付して詳細な説明を省略する。
【００５３】
この流動体貯留容器は、第１実施形態と同様の機能および構成を有する流動体貯留部４と、弁機構５と、吐出部材６から構成される。
【００５４】
図１８に示すように、弁機構５は、流動体貯留部４における連結部材１４０の中空部１４１に係合される。また、吐出部材６は、ネジ部材を介して流動体貯留部４の上端に形成されたネジ部と係合されている。なお、流動体貯留部４、弁機構５および吐出部材６は互いに分離可能である。
【００５５】
この流動体貯留容器においては、流動体貯留部４における胴体部１１２を押圧することにより、内部容器１２０内に貯留された流動体に圧力が付与されると、流動体貯留部４内に貯留された流動体が吐出部材６における吐出口１３から吐出される。そして、流動体貯留部４における胴体部１１２を押圧が解除されると、後程詳細に説明する弁機構５の作用で、吐出部材６における吐出口１３が閉鎖され、空気の逆流が防止される。
【００５６】
図１９に示すように、内部容器１２０内に貯留された流動体が吐出されることにより内部容器１２０の体積が減少したとき、内部空間１３０が一時的に減圧され、外部から内部空間１３０方向へ力を受ける。このため、第１実施形態と同様に、流出防止機構の作用により外部から内部空間１３０へ空気が流入する。これにより、内部空間１３０内の圧力と、外部および内部容器１２０内の圧力とが一定に保たれ、内部容器１２０よりの流動体の吸引をスムースにすることが可能となる。
【００５７】
また、流動体貯留部４内に流動体を充填するときには、図４に示すように、流動体貯留部４、弁機構５および連結体６とを分離し、連結部材１４３上に載置された貫通孔閉鎖部材１４３および弁機構５を取り外すことにより、外部容器１１０と内部容器１２０との間に形成される内部空間１３０内の空気を、貫通孔１４２を通じて外部へ流通させることができる。これにより、流動体充填時の内部容器１２０の体積増大に伴う内部空間１２０の体積減少による圧力上昇を防止することが可能となる。
【００５８】
次に、弁機構５の構成について説明する。図２１および図２２は、この発明に係る流動体貯留容器に使用される弁機構５が係合された状態の流動体貯留容器の吐出部付近を示す縦断面図である。なお、これらの図のうち、図２１は流動体貯留容器に応力を付与することなく放置した状態を、また、図２２は流動体貯留容器における胴体部１１２が押圧されることにより流動体貯留容器内の流動体が吐出しつつある状態を示すものである。但し、図２１および図２２における連結部材１４０、貫通孔閉鎖部材１４３以外の部材の断面については、ハッチングを省略している。
【００５９】
また、図２３（ａ）は、この発明に係る流動体貯留容器に使用される弁機構５の開口部２４１が閉止された状態を示す縦断面図、図２３（ｂ）は、この発明に係る流動体貯留容器に使用される弁機構５の開口部２４１が開口された状態を示す縦断面図である。
【００６０】
この弁機構５は、弁部材２２０および弁座部材２４０により構成される。
【００６１】
弁部材２２０は、後述する弁座部材２４０における円形の開口部２４１と対応する形状を有する弁体２２１と、弁体２２１に立設された結合部２２２とを有する。
【００６２】
弁座部材２４０は、円形の開口部２４１と、連結部材１４０の中空部と係合する係合部２３１と、弁部材２２０の結合部２２２を支持する弁部材支持部２３３と、係合部２３１と弁部材支持部２３３とを連結する４個の連結部２３２とを有する。また、弁部材支持部２３３には、弁部材２２０における結合部２２２が挿嵌されるための孔２３８が形成されている。この孔２３８内に後述する弁座部材２４０の開口部２４１を通過した結合部２２２を挿嵌することにより、弁部材２２０は弁座部材２４０に対して固定される。なお、４個の連結部２３２は各々一対の屈曲部２３６を有する可撓性の樹脂より構成される。この連結部２３２の可撓性により、弁部材２２０における弁体２２１が、後述する弁座部材２４０における開口部２４１を閉鎖する閉鎖位置と前記開口部２４１を開放する開放位置との間で移動可能となっている。
【００６３】
開口部２４１は、弁体２２１の弁座として機能するものであり、開口部２４１を形成する傾斜面２４５は、弁部材２２０における弁体２２１の傾斜面２２３と対応する角度を有する。
【００６４】
このような構成を有する弁機構５において、流動体貯留部４の胴体部１１２を押圧することにより内部容器１２０内の流動体に圧力を加えた場合には、図１９および図２２に示すように、弁部材２２０における弁体２２１が弁座部材２４０における開口部２４１を開放する開放位置に移動する。これにより、流動体が開口部２４１を通過する。一方、流動体貯留部４の胴体部１１２への押圧力を解除すると、図２０に示すように、４個の連結部２３２の弾性復元力により、弁部材２２０における弁体２２１が弁座部材２４０における開口部２４１を閉鎖する閉鎖位置に移動する。これにより、開口部２４１から内部容器１２０内への空気の侵入を防止することができる。
【００６５】
このような弁機構５の構成により、外部から内部容器１２０内への空気の逆流を防止することが可能となる。この結果、内容物が空気と接触することを防ぎ、内容物の腐食を防止することができる。
【００６６】
なお、弁機構５の構成は、以上に記載のものに限定されるものではなく、流動体貯留部４の胴体部１１２を押圧すると開口部を開放し、流動体貯留部４の胴体部１１２への押圧力を解除すると開口部を閉鎖することができる機能を有するものであればよい。
【００６７】
【発明の効果】
請求項１および請求項３に記載の発明によれば、外部容器と内部容器との間に形成される内部空間から外部への流動体の流出を防止するとともに、外部から内部空間への空気流入を可能とする流出防止機構を備えることから、外部容器または蓋の一部に通気口を設ける必要がなく、内部容器の破損等により流動体が内部空間へ洩れた場合においても、この流動体が外部へ洩れることを防止することが可能となる。
【００６８】
また、外部容器に通気口を設ける必要がないことから、一般に流通している容器を外部容器としてそのまま使用することが可能となる。
【００６９】
請求項２に記載の発明によれば、流動体吐出ポンプは、略筒状の連結部材の内部に配設されることから、流動体吐出ポンプを安定した状態で支持することが可能となる。
【００７０】
請求項４に記載の発明によれば、弁機構は、略筒状の連結部材の内部に配設されることから、流動体吐出ポンプを安定した状態で支持することが可能となる。
【００７１】
請求項５に記載の発明によれば、連結部材には、外部と内部空間との間を通じる貫通孔が形成されることにより、流動体充填時に内部容器の体積増大に伴う内部空間の増圧を防止することが可能となる。さらに、連結部材の外側に貫通孔を閉鎖する貫通孔閉鎖部材を備えることから、充填後は内部空間からの流動体の流出を防止することが可能となる。
【００７２】
請求項６に記載の発明によれば、流出防止機構は、外部容器の内部方向に向けて開口する傘状の形状を有し、その最大外径部が外側容器における開口部と当接する可撓性の漏れ防止部を備えることから、簡易な構成でありながら、内部容器の破損等により流動体が内部空間へ洩れた場合においても、この流動体が外部へ洩れることを防止することが可能となる。
【図面の簡単な説明】
【図１】この発明の第１実施形態に係る流動体貯留容器を示す要部断面図である。
【図２】この発明の第１実施形態に係る流動体貯留容器の分解した状態を示す要部断面図である。
【図３】この発明の第１実施形態に係る流動体貯留容器を示す縦断面図である。
【図４】この発明の第１実施形態に係る流動体貯留容器を示す縦断面図である。
【図５】この発明の第１実施形態に係る流動体貯留容器を示す縦断面図である。
【図６】この発明の第１実施形態に係る流動体貯留容器を示す縦断面図である。
【図７】この発明に係る流動体貯留容器の組立時の状態を示す縦断面図である。
【図８】この発明に係る流動体貯留容器の流動体貯留部４の流動体充填時の状態を示す縦断面図である。
【図９】この発明に係る流動体貯留容器の流動体貯留部４の連結部材１４０を示す平面図である。
【図１０】図１３のＡ−Ａ線断面図である。
【図１１】図１３のＢ−Ｂ線断面図である。
【図１２】この発明に係る流動体貯留容器の流動体貯留部４の連結部材１４０を示す裏面図である。
【図１３】この発明に係る流動体貯留容器の流動体貯留部４の貫通孔閉鎖部材１４３を示す平面図（ａ）および縦断面図（ｂ）である。
【図１４】この発明の第１実施形態に係る流動体貯留容器に使用される流動体吐出ポンプ１の一実施例をノズルヘッド２とともに示す縦断面図である。
【図１５】この発明の第１実施形態に係る流動体貯留容器に使用される流動体吐出ポンプ１の一実施例をノズルヘッド２とともに示す縦断面図である。
【図１６】この発明の第１実施形態に係る流動体貯留容器に使用される流動体吐出ポンプ１の一実施例をノズルヘッド２とともに示す縦断面図である。
【図１７】この発明の第１実施形態に係る流動体貯留容器に使用される流動体吐出ポンプ１の一実施例をノズルヘッド２とともに示す縦断面図である。
【図１８】この発明の第２実施形態に係る流動体貯留容器を示す縦断面図である。
【図１９】この発明の第２実施形態に係る流動体貯留容器を示す縦断面図である。
【図２０】この発明の第２実施形態に係る流動体貯留容器を示す縦断面図である。
【図２１】この発明に係る流動体貯留容器に使用される弁機構５が係合された状態の流動体貯留容器の吐出部付近を示す縦断面図である。
【図２２】この発明に係る流動体貯留容器に使用される弁機構５が係合された状態の流動体貯留容器の吐出部付近を示す縦断面図である。
【図２３】この発明に係る流動体貯留容器に使用される弁機構５の開口部２４１が閉止された状態を示す縦断面図（ａ）および開口部２４１が開口された状態を示す縦断面図（ｂ）である。
【符号の説明】
１      流動体吐出ポンプ
２      ノズルヘッド
３      外蓋
４      流動体貯留部
５      弁機構
６      吐出部材
１１      吐出部
１２      押圧部
１３      吐出口
２０      凹部
２３      シリンダ
２４      コイルバネ
４１      開口部
８１      第１連結筒
８２      第２連結筒
８３      ピストン
８６      テーパ部
８７      支持部
８８      連結部
８９      弁体
９０      吸引管
９１      開口部
１１０      外部容器
１１１      開口部
１２０      内部容器
１２１      開口部
１３０      内部空間
１４０      連結部材
１４１      中空部
１４２      貫通孔
１４３      貫通孔閉鎖部材
１４４      洩れ防止部
１４５      第１係合部
１４６      第２係合部
１４７      溝部
１４８      中空部
２２０      弁部材
２２１      弁体
２２２      結合部
２２３      傾斜部
２３１      係合部
２３２      連結部
２３３      弁部材支持部
２３６      屈曲部
２３８      孔
２４０      弁座部材
２４１      開口部
【図１】
2004203443.tif 000003
【図２】
2004203443.tif 000004
【図３】
2004203443.tif 000005
【図４】
2004203443.tif 000006
【図５】
2004203443.tif 000007
【図６】
2004203443.tif 000008
【図７】
2004203443.tif 000009
【図８】
2004203443.tif 000010
【図９】
2004203443.tif 000011
【図１０】
2004203443.tif 000012
【図１１】
2004203443.tif 000013
【図１２】
2004203443.tif 000014
【図１３】
2004203443.tif 000015
【図１４】
2004203443.tif 000016
【図１５】
2004203443.tif 000017
【図１６】
2004203443.tif 000018
【図１７】
2004203443.tif 000019
【図１８】
2004203443.tif 000020
【図１９】
2004203443.tif 000021
【図２０】
2004203443.tif 000022
【図２１】
2004203443.tif 000023
【図２２】
2004203443.tif 000024
【図２３】
2004203443.tif 000025